(57)【要約】【課題】電気絶縁物のガラスプレート上が高温で被加熱物の無い状態のとき、使用者が不意にガラスプレートに触れて火傷などの怪我を負わない様にすること。【解決手段】電気絶縁物のガラスプレート１が高温で、被加熱物１１が存在しない時、ガラスプレート１下に配置した人体感知センサ７により、人体（手）１０が近付いている事を検知し、音声報知手段９及び高温注意ランプ８による報知手段を動作させる事で、使用者に対してガラスプレート１が高温である事に対する注意を喚起する事が可能である。【選択図】図２
2010170930.tif 000002
【特許請求の範囲】
【請求項１】
耐熱性かつ電気絶縁物よりなるガラスプレートと、鍋を加熱する誘導加熱装置と、前記誘導加熱装置の全ての動作を制御する制御手段と、使用者が操作を行う操作部と、使用者に使用状況を表示するための表示装置と、前記鍋底や前記ガラスプレートの温度を検知する温度センサと、人体の有無を検知する人体感知センサとを備え、前記温度センサ及び前記制御手段が、ガラスプレート上が調理をした後などの高温である事を検知した時に、前記人体感知センサが作動し、使用者が前記ガラスプレート上に手を近付けた際、使用者に対して音声又はブザー等の音声報知手段及び高温注意ランプなどの光による報知手段を用いて報知をおこなう誘導加熱調理器。
【請求項２】
前記人体感知センサは光の反射を用いて人体の有無を判断する光センサを用いた請求項１に記載の誘導加熱調理器。
【請求項３】
前記人体感知センサは超音波の反射を用いて人体の有無を判断する超音波センサを用いた請求項１に記載の誘導加熱調理器。
【請求項４】
前記人体感知センサは人体の温度を感知する赤外線センサを用いた請求項１に記載の誘導加熱調理器。
【請求項５】
高温のガラスプレートのおおよその温度を液晶又は７セグメントＬＥＤを用いて表示し、使用者に注意を促す請求項１〜４のいずれか１項に記載の誘導加熱調理器。
【請求項６】
ガラスプレートが高温である事を示す高温注意ランプはガラスプレートの温度に応じて点滅のスピードを変化させ、使用者に注意を促す請求項１〜５のいずれか１項に記載の誘導加熱調理器。
【発明の詳細な説明】
【技術分野】
【０００１】
本発明は、調理容器を載置するガラスプレートが、高温時に使用者に対して注意を促す誘導加熱調理器に関するものである。
【背景技術】
【０００２】
従来、この種の誘導加熱調理器は、ガラスプレートが高温時に高温注意ランプを点灯するようにしている（例えば、特許文献１、特許文献２、特許文献３、特許文献４参照）。
【０００３】
図５は、従来の誘導加熱調理器の上面図、図６は従来の誘導加熱調理器の断面図である。
【０００４】
図５、図６に示すように、高温注意ランプ８は、ガラスプレート２１上の使用者から一番目に付きやすい位置に配置され、主に加熱操作を行う操作部２４の近傍に配置されている。
【０００５】
ガラスプレート２１の温度を測定する温度センサ２６は、一般に誘導加熱手段２２の内側に配置され、調理中の鍋底の温度をモニタすると同時に、ガラスプレート２１の温度も監視する。誘導加熱手段２２を制御する制御手段２３が、温度センサ２６が予め決められた温度に達したと判断すると、高温注意ランプ２８が点灯する。
【０００６】
また、ガラスプレート２１の温度が、予め決められた温度以下まで下がったと制御手段２３が判断すると、高温注意ランプ２８が消灯する。調理を行っていない時に高温注意ランプ２８を点滅動作させる事等により、使用者に対しガラスプレート２１が高温である事に対して注意を促す構成としている。
【特許文献１】特開２００１−２２１４４３号公報
【特許文献２】特開２００３−１４２２４５号公報
【特許文献３】特開２００５−２４９３１８号公報
【特許文献４】特開２００６−４６３０号公報
【発明の開示】
【発明が解決しようとする課題】
【０００７】
しかしながら、前記従来の構成では、高温注意ランプのみの注意喚起では、ランプの点滅・点灯を見落としたり、視覚に障害のある人や小さい子供には見えない事等が予想され、不意に高温のガラスプレートに触ってしまう危険がある。また、ガラスプレートが吹き零れ等で汚れていると、その影響で高温注意ランプ自体が見えない、または見え難い状態となり、注意を喚起するという本来の働きができなくなるという課題を有していた。
【０００８】
本発明は、前記従来の課題を解決するもので、ガラスプレートが高温でかつ鍋が載っていない状態の時においても、使用者に対し注意を喚起する誘導加熱調理器を提供することを目的とする。
【課題を解決するための手段】
【０００９】
前記従来の課題を解決するために、本発明の誘導加熱調理器は、ガラスプレートと、鍋を加熱する誘導加熱装置と、前記誘導加熱装置の全ての動作を制御する制御手段と、使用者が操作を行う操作部と、使用者に使用状況を表示するための表示装置と、前記鍋底や前記ガラスプレートの温度を検知する温度センサと、人体の有無を検知する人体感知センサとを備え、前記ガラスプレート上が調理をした後などの高温時に、前記人体感知センサが
作動し、前記ガラスプレート上に手を近付けた際、使用者に対して音声又はブザー等の音声報知手段及び高温注意ランプなどの光による報知手段を用いて報知をおこなうようにしたものである。
【００１０】
これによって、使用者が思いもかけず高温の前記ガラスプレートに触れる事を防止することができる。
【発明の効果】
【００１１】
本発明の誘導加熱調理器は、調理が終わった直後で、鍋を取り出した後のガラスプレートは、鍋底や加熱装置の熱がまだ残っている状態である為、火傷を負う程の高温となる事があり、この様なガラスプレート上に鍋等の被加熱物が無い状態で、かつガラスプレートが高温状態の時に、人体感知センサを作動させ、音声及び高温注意ランプの点灯方法等により使用者に対して注意を促す事で、使用者が火傷などの重大な被害に遭う事を未然に防ぐ事ができる。
【発明を実施するための最良の形態】
【００１２】
第１の発明は、耐熱性かつ電気絶縁物よりなるガラスプレートと、鍋を加熱する誘導加熱装置と、前記誘導加熱装置の全ての動作を制御する制御手段と、使用者が操作を行う操作部と、使用者に使用状況を表示するための表示装置と、前記鍋底や前記ガラスプレートの温度を検知する温度センサと、人体の有無を検知する人体感知センサとを備え、前記温度センサ及び前記制御手段が、ガラスプレート上が調理をした後などの高温である事を検知した時に、前記人体感知センサが作動し、使用者が前記ガラスプレート上に手を近付けた際、使用者に対して音声又はブザー等の音声報知手段及び高温注意ランプ等の光による報知手段を用いて報知をおこなうことにより、使用者が不意に高温のガラスプレートに触れる事を未然に防止する事ができる。
【００１３】
第２の発明は、特に、第１の発明の人体感知センサを光の反射を用いて人体の有無を判断する光センサを用いることにより、人体が前記ガラスプレート上にある事を、光の反射を用いて検知し、報知手段を動作させる事で、使用者に対して注意を喚起する事ができる。
【００１４】
第３の発明は、特に、第１の発明の人体感知センサを超音波の反射を用いて人体（手）の有無を判断する超音波センサを用いることにより、人体（手）が前記ガラスプレート上にある事を、超音波の反射を用いて検知し、報知手段を動作させる事で、使用者に対して注意を喚起する事ができる。
【００１５】
第４の発明は、特に、第１の発明の人体感知センサを人体（手）の温度を感知する赤外線センサを用いることにより、人体（手）がガラスプレート上にある事を、赤外線による温度検知により検出し、報知手段を動作させる事で、使用者に対して注意を喚起する事ができる。
【００１６】
第５の発明は、特に、第１〜４のいずれか１つの発明の高温のガラスプレートのおおよその温度を液晶又は７セグメントＬＥＤを用いて表示することにより、使用者に対して視覚的に注意を促す事ができる。
【００１７】
第６の発明は、特に、第１〜５のいずれか１つの発明のガラスプレートが高温である事を示す高温注意ランプをガラスプレートの温度に応じて点滅のスピードを変化させることにより、使用者に対して視覚的に注意を促す事ができる。
【００１８】
以下、本発明の実施の形態について、図面を参照しながら説明する。なお、この実施の
形態によって、本発明が限定されるものではない。
【００１９】
（実施の形態１）
図１は、本発明の第１の実施の形態における誘導加熱調理器の上面図を示すものである。
【００２０】
図２は、本発明の第１の実施の形態における誘導加熱調理器の断面図を示すものである。
【００２１】
図１、図２において、ガラスなど電気絶縁物からなるガラスプレート１、誘導加熱手段２、ガラスプレート１の表面に配置した操作部４、加熱動作や温度センサ６の情報などを処理する制御手段３、高温注意ランプ８、鍋底やガラスプレート１の温度を検出する温度センサ６、人体（手）の有無を検知する人体感知センサ７、音声報知手段９、人体（手）１０、被加熱物（鍋）１１で構成している。
【００２２】
以上のように構成された誘導加熱調理器について、以下その動作、作用を説明する。
【００２３】
まず、鍋がガラスプレート１上に無く、ガラスプレート１の温度が温度センサ６及び制御手段３にて高温であると判断された時、高温注意ランプ８を点灯させると共に人体感知センサ７も動作を開始する。
【００２４】
人体感知センサ７がこの状態のときに人体（手）１０を感知すると、制御手段３は使用者に対して注意を促すべく、音声報知手段９及び高温注意ランプ８の動作を開始させる。
【００２５】
以上のように、本実施の形態においては、使用者に使用状況を表示するための高温注意ランプ、ガラスプレートの温度を検出する温度センサ、人体（手）の有無を検知する人体感知センサ、音声放置装置を備えることにより、温度センサ及び制御手段が、ガラスプレート上が高温である事を検知し、かつ前記制御手段が前記加熱装置上に鍋が載っていない事を検知した時、前記人体感知センサを作動させ、使用者が前記ガラスプレート上に手を近付けた際、人体感知センサが検知し、使用者に対して音声報知手段及び高温注意ランプ等の光などによる注意を促すべく報知をすることができ、使用者が不意の高温のガラスプレートに触れる事を未然に防止する事ができる。
【００２６】
（実施の形態２）
図３は、本発明の第２の実施の形態における誘導加熱調理器の断面図を示すものである。
【００２７】
図３において、ガラスなど電気絶縁物からなるガラスプレート１、誘導加熱手段２、ガラスプレート１の表面に配置した操作部４、加熱動作や温度センサ６の情報などを処理する制御手段３、高温注意ランプ８、鍋底やガラスプレートの温度を検出する温度センサ６、人体（手）の有無を検知する光センサ１２、音声報知手段９で構成する。
【００２８】
以上のように構成された誘導加熱調理器について、以下その動作、作用を説明する。
【００２９】
まず、鍋がガラスプレート１上に無く、ガラスプレート１の温度が温度センサ６及び制御手段３にて高温であると判断された時、高温注意ランプ８を点灯させると共に光センサ１２が動作を開始する。
【００３０】
光センサ１２が人体（手）１０を検知すると、制御手段３は使用者に対して注意を促すべく、音声報知手段９及び高温注意ランプ８の動作を開始する。
【００３１】
以上のように、本実施の形態においては、人体感知センサを光の反射を用いて人体（手）の有無を判断する光センサを用いることにより、人体（手）が前記ガラスプレート上にある事を、光の反射を用いて検知し、報知手段を動作させ、使用者に対して注意を喚起する事ができる。
【００３２】
また、本実施の形態の光センサは、超音波センサ、赤外線センサを用いても同様の効果を発揮することができる。
【００３３】
（実施の形態３）
図４は、本発明の第３の実施の形態における誘導加熱調理器の上面図を示すものである。
【００３４】
図４において、ガラスなど電気絶縁物からなるガラスプレート１、誘導加熱手段２、ガラスプレート１の表面に配置した操作部４、タイマー時間やエラー表示を主に司る表示装置５、高温注意ランプ８、鍋底やガラスプレート１の温度を検出する温度センサ６で構成している。
【００３５】
以上のように構成された誘導加熱調理器について、以下その動作、作用を説明する。
【００３６】
まず、鍋がガラスプレート１上に無く、ガラスプレート１の温度が温度センサ６及び制御手段３にて高温であると判断された時、制御手段３（図３参照）は温度センサ６からの情報を読取り温度情報に変換すると共に、表示装置５におおよその温度情報を出力する。
【００３７】
同時に高温注意ランプ８を点灯させ温度表示と高温注意ランプ両方で使用者に対して視覚的に注意を促すこととなる。
【００３８】
また、ガラスプレートが高温であることを示す高温注意ランプをガラスプレートの温度に応じて点滅のスピードを変化させることにより点灯の光量又は点滅周期を変化させる事で、使用者に対する注意を促す効果が高くなる。
【産業上の利用可能性】
【００３９】
以上のように、本発明にかかる誘導加熱調理器は、使用者が火傷などの重大な被害に遭う事を未然に防ぐ事ができるので、他の加熱調理器の用途にも適用できる。
【図面の簡単な説明】
【００４０】
【図１】本発明の実施の形態１における誘導加熱調理器の上面図
【図２】本発明の実施の形態１における誘導加熱調理器の断面図
【図３】本発明の実施の形態２における誘導加熱調理器の断面図
【図４】本発明の実施の形態３における誘導加熱調理器の上面図
【図５】従来の誘導加熱調理器の上面図
【図６】従来の誘導加熱調理器の断面図
【符号の説明】
【００４１】
１  ガラスプレート
２  誘導加熱手段（誘導加熱装置）
３  制御手段
４  操作部
５  表示装置
６  温度センサ
７  人体感知センサ
８  高温注意ランプ
９  音声報知手段
１０  人体（手）
１１  被加熱物（鍋）
１２  光センサ
【図１】
2010170930.tif 000003
【図２】
2010170930.tif 000004
【図３】
2010170930.tif 000005
【図５】
2010170930.tif 000006
【図６】
2010170930.tif 000007
【図４】
2010170930.tif 000008